(57)【要約】【課題】  本発明は、端子の挿入作業を軽減できるとともに、アライメントプレート及び端子の損傷を防止できるコネクタを提供する。【解決手段】本発明に係るコネクタ１は、プリント基板に取り付けられるハウジング１０と、ハウジング１０内に収容され、ハウジング１０からプリント基板側に突出された先端２０Ｅが各基板接続孔にそれぞれ挿入される複数の端子２０と、ハウジング１０に取り付けられ、複数の端子２０の配列を複数の基板接続孔の配列と一致するように整列させるアライメントプレート３０とを備える。ハウジング１０は、端子２０の長手方向ＬＤに直交する直交方向ＣＤの側部のうち、一側部を位置決めする端子収容溝部１４を備える。アライメントプレート３０は、端子２０の直交方向ＣＤの側部のうち、他側部を位置決めするプレート位置決溝部３３を備える。【選択図】図２
2013168340.tif 000002
【特許請求の範囲】
【請求項１】
複数の基板接続孔が形成されたプリント基板に取り付けられるハウジングと、
前記ハウジング内に収容され、前記ハウジングから前記プリント基板側に突出された先端が各基板接続孔にそれぞれ挿入される複数の端子と、
前記ハウジングに取り付けられ、複数の前記端子の配列を複数の前記基板接続孔の配列と一致するように整列させるアライメントプレートと
を備えるコネクタであって、
前記ハウジングは、前記端子の長手方向に直交する方向の側部のうち、一側部を位置決めする端子収容溝部を備え、
前記アライメントプレートは、前記端子の長手方向に直交する方向の側部のうち、他側部を位置決めするプレート位置決溝部を備えることを特徴とするコネクタ。
【請求項２】
請求項１に記載のコネクタであって、
前記端子収容溝部は、第１底面と、前記第１底面に連なりそれぞれ対向する２つの第１側面とによって構成され、
前記プレート位置決溝部は、前記第１底面と対向する第２底面と、前記第２底面に連なりそれぞれ対向する２つの第２側面とによって構成されることを特徴とするコネクタ。
【請求項３】
請求項１又は請求項２に記載のコネクタであって、
前記端子収容溝部は、前記プリント基板側の端部において前記端子の長手方向に直交する方向にする距離が狭くなる幅狭部を備えることを特徴とするコネクタ。
【請求項４】
請求項１乃至請求項３の何れかに記載のコネクタであって、
前記端子は、前記端子の長手方向に直交する方向に沿って配列された上下２列の上列端子と下列端子とによって構成され、
前記アライメントプレートは、
前記上列端子を位置決めする上側プレートと、
前記下側端子を位置決めする下側プレートと
を備えることを特徴とするコネクタ。
【請求項５】
請求項１乃至請求項４の何れかに記載のコネクタであって、
前記端子は、前記端子の先端側を含み、前記端子収容溝部と接触する先端側領域と、前記端子収容溝部から前記プリント基板の逆側に突出して、相手側コネクタの端子部と接触する接触側領域とによって構成され、
前記先端側領域は、前記接触側領域に対して屈曲し、前記端子収容溝部の内部に当接することを特徴とするコネクタ。
【発明の詳細な説明】
【技術分野】
【０００１】
本発明は、プリント基板に取り付けられるコネクタに関する。
【背景技術】
【０００２】
従来から、導体パターンが施されたプリント基板に取り付けられるコネクタとして、様々な提案がなされている（例えば、特許文献１や特許文献２参照）
図７及び図８に示すように、この種のコネクタ１００は、複数の基板接続孔（不図示）が形成されたプリント基板１５０（図９参照）に取り付けられるハウジング１１０と、ハウジング１１０内に収容される複数の端子１２０と、プリント基板１５０の複数の基板接続孔の配列と整合する複数のプレート位置決め孔１３１が形成されたアライメントプレート１３０とを備えている。
【０００３】
このようなコネクタ１００では、ハウジング１１０に圧入固定された各端子１２０がプレート位置決め孔１３１に挿入され、アライメントプレート１３０により各端子１２０が位置決めされる。そして、図９に示すように、各端子１２０の先端が基板接続孔（不図示）に挿入されて半田付けされることによって、コネクタ１００がプリント基板１５０に取り付けられる。
【先行技術文献】
【特許文献】
【０００４】
【特許文献１】特開２０１０−１５８１２号公報
【特許文献２】特開平９−２８３２４１号公報
【発明の概要】
【発明が解決しようとする課題】
【０００５】
ところで、上述した従来のコネクタ１００では、特に、端子１２０が多い場合には、各端子１２０を挿入するプレート位置決め孔１３１や基板接続孔（不図示）の寸法精度が高いことが必要である。
【０００６】
しかしながら、従来のコネクタ１００では、いくら寸法精度が高くても、端子１２０をプレート位置決め孔１３１に挿入し、次いで、基板接続孔（不図示）にも挿入しなければならないため、端子１２０の挿入作業が繁雑であった。
【０００７】
加えて、端子１２０がプレート位置決め孔１３１に必ずしも挿入されるとは限らず、何れかの端子１２０の先端がアライメントプレート１３０に接触して曲がってしまうという問題があった。さらに、端子１２０の先端がプレート位置決め孔１３１の縁部を削ってしまい、基板接続孔（不図示）に整合されたプレート位置決め孔１３１の寸法精度が悪化するという問題もあった。つまり、アライメントプレート１３０及び端子１２０の損傷を防止することについては、未だ改善の余地があるのが現状であった。
【０００８】
そこで、本発明は、端子の挿入作業を軽減できるとともに、アライメントプレート及び端子の損傷を防止できるコネクタの提供を目的とする。
【課題を解決するための手段】
【０００９】
上述した課題を解決するため、本発明は、次のような特徴を有している。まず、本発明の第１の特徴は、複数の基板接続孔が形成されたプリント基板に取り付けられるハウジング（ハウジング１０）と、前記ハウジング内に収容され、前記ハウジングから前記プリント基板側に突出された先端（先端２０Ｅ）が各基板接続孔にそれぞれ挿入される複数の端子（端子２０）と、前記ハウジングに取り付けられ、複数の前記端子の配列を複数の前記基板接続孔の配列と一致するように整列させるアライメントプレート（アライメントプレート３０）とを備えるコネクタ（コネクタ１）であって、前記ハウジングは、前記端子の長手方向（長手方向ＬＤ）に直交する方向（直交方向ＣＤ）の側部のうち、一側部を位置決めする端子収容溝部（端子収容溝部１４）を備え、前記アライメントプレートは、前記端子の長手方向に直交する方向の側部のうち、他側部を位置決めするプレート位置決溝部（プレート位置決溝部３３）を備えることを要旨とする。
【００１０】
かかる特徴によれば、ハウジングは、端子の一側部を位置決めする端子収容溝部を備え、アライメントプレートは、端子の他側部を位置決めするプレート位置決溝部を備える。つまり、端子は、端子収容溝部とプレート位置決溝部との間で挟持されることによって位置決めされる。これにより、従来のように、アライメントプレートのプレート位置決め孔への端子の挿入作業が不要となり、端子の挿入作業を軽減できる。
【００１１】
また、アライメントプレートの位置決め孔への端子の挿入作業が不要となることに伴い、端子の先端がアライメントプレートに接触して曲がってしまうことを防止でき、端子の損傷を防止できる。加えて、端子の先端がアライメントプレートの一部を削ってしまうことを防止でき、アライメントプレートの損傷をも防止できる。従って、端子の配列や端子収容溝部及びプレート位置決溝部の寸法精度が悪化することなく、コネクタの製品信頼性を向上させることができる。
【００１２】
その上、端子収容溝部に端子を挿入する際に、端子収容溝部内で端子の全周が摺動されることなく端子の一側部のみの摺動で済むため、端子収容溝部に端子を挿入させ易くなり、端子の挿入力の低減を実現できる。
【００１３】
本発明の第２の特徴は、本発明の第１の特徴に係るコネクタであって、前記端子収容溝部は、第１底面（第１底面１５）と、前記第１底面に連なりそれぞれ対向する２つの第１側面（第１側面１６，１７）とによって構成され、前記プレート位置決溝部は、前記第１底面と対向する第２底面（第２底面３４）と、前記第２底面に連なりそれぞれ対向する２つの第２側面（第２側面３５，３６）とによって構成されることを要旨とする。
【００１４】
かかる特徴によれば、端子収容溝部は、第１底面と２つの第１側面とによって構成され、プレート位置決溝部は、第２底面と、２つの第２側面とによって構成される。つまり、端子収容溝部及びプレート位置決溝部は、矩形状の溝によって形成されている。これにより、端子を位置決めできることは勿論、端子収容溝部及びプレート位置決溝部の形状が単純であるため、ハウジングやアライメントプレートの製造が容易となり、コネクタの製造コストの低減を図ることができる。
【００１５】
本発明の第３の特徴は、本発明の第１又は第２の特徴に係るコネクタであって、前記端子収容溝部は、前記プリント基板側の端部において前記端子の長手方向に直交する方向に対する距離が狭くなる幅狭部（幅狭部１８）を備えることを要旨とする。
【００１６】
かかる特徴によれば、端子収容溝部は、幅狭部を備える。これにより、端子が直交方向にずれにくくなり、端子の位置決めをより確実に向上できる。
【００１７】
本発明の第４の特徴は、本発明の第１乃至第３の特徴に係るコネクタであって、前記端子は、前記端子の長手方向に直交する方向に沿って配列された上下２列の上列端子（上列端子２０Ａ）と下列端子（下列端子２０Ｂ）とによって構成され、前記アライメントプレートは、前記上列端子を位置決めする上側プレート（上側プレート３０Ａ）と、前記下側端子を位置決めする下側プレート（下側プレート３０Ｂ）とを備えることを要旨とする。
【００１８】
かかる特徴によれば、アライメントプレートは、上側プレートと下側プレートとを備える。これにより、より多くの端子の位置決めを実現できる。
【００１９】
本発明の第５の特徴は、本発明の第１乃至第４の特徴に係るコネクタであって、前記端子は、前記端子の先端側を含み、前記端子収容溝部と接触する先端側領域（先端側領域２１）と、前記端子収容溝部から前記プリント基板の逆側に突出して、相手側コネクタの端子部と接触する接触側領域（接触側領域２２）とによって構成され、前記先端側領域は、前記接触側領域に対して屈曲し、前記端子収容溝部の内部に当接することを要旨とする。
【００２０】
かかる特徴によれば、端子の先端側領域は、接触側領域に対して屈曲し、端子収容溝部の内部に当接する。つまり、端子の先端側領域は、端子収容溝部の内部（第１底面）側に付勢されて常に接触するようになっている。これにより、端子の一側部（上側部又は下側部）をより確実に位置決めできる。
【発明の効果】
【００２１】
本発明の特徴によれば、本発明は、端子の挿入作業を軽減できるとともに、アライメントプレート及び端子の損傷を防止できるコネクタを提供することができる。
【図面の簡単な説明】
【００２２】
【図１】図１（ａ）は、本実施形態に係るコネクタを示す斜視図であり、図１（ｂ）は、図１（ａ）の一部拡大図である。
【図２】図２（ａ）は、本実施形態に係るコネクタを示す一部分解斜視図であり、図２（ｂ）は、図２（ａ）の一部拡大図である。
【図３】図３（ａ）は、本実施形態に係るハウジングを示す正面図であり、図３（ｂ）は、本実施形態に係るハウジングの一部断面（図３（ａ）のＡ−Ａ断面）を示す斜視図である。
【図４】図４は、本実施形態に係る端子収容溝部の近傍を示す拡大斜視図である。
【図５】図５は、本実施形態に係るコネクタを示す一部分解側面図である。
【図６】図６は、本実施形態に係るアライメントプレートを示す斜視図である。
【図７】図７（ａ）は、背景技術に係るコネクタ１００を示す斜視図であり、図７（ｂ）は、背景技術に係るコネクタ１００を示す一部分解斜視図である。
【図８】図８（ａ）は、背景技術に係るコネクタ１００の一部断面を示す斜視図であり、図８（ｂ）は、背景技術に係るコネクタ１００の一部断面図である。
【図９】図９は、背景技術に係るコネクタ１００をプリント基板１５０に取り付けた状態を示す平面図である。
【発明を実施するための形態】
【００２３】
次に、本発明に係るコネクタの実施形態について、図面を参照しながら説明する。具体的には、（１）コネクタの構成、（２）コネクタの組付方法、（３）作用・効果、（４）その他の実施形態について説明する。
【００２４】
なお、以下の図面の記載において、同一または類似の部分には、同一または類似の符号を付している。ただし、図面は模式的なものであり、各寸法の比率などは現実のものとは異なることに留意すべきである。
【００２５】
したがって、具体的な寸法などは以下の説明を参酌して判断すべきである。また、図面相互間においても互いの寸法の関係や比率が異なる部分が含まれ得る。
【００２６】
（１）コネクタの構成
まず、本実施形態に係るコネクタ１の構成について、図面を参照しながら説明する。図１〜図６は、本実施形態に係るコネクタ１の一例を示す図である。
【００２７】
図１及び図２に示すように、コネクタ１は、導体パターンが施されたプリント基板（例えば、図９参照）に取り付けられるものである。そして、プリント基板に取り付けられたコネクタ１には、相手側コネクタ（不図示）が嵌合・離脱が可能となっている。
【００２８】
このようなコネクタ１は、複数の基板接続孔（不図示）が形成されたプリント基板に取り付けられる箱状のハウジング１０と、ハウジング１０内に収容され、ハウジング１０からプリント基板側に突出された先端２０Ｅが各基板接続孔にそれぞれ挿入される複数の端子２０と、ハウジング１０に取り付けられ、複数の端子２０の配列を複数の基板接続孔の配列と一致するように整列させるアライメントプレート３０とを備えている。
【００２９】
（ハウジング）
図１〜図３に示すように、ハウジング１０は、ハウジング本体１１と、相手側コネクタ（不図示）が嵌合する嵌合フード部１２とによって大略構成されている。ハウジング本体１１の外面には、アライメントプレート３０（後述する係止切欠部３２Ａ）が係止される係止突起１３が形成されている。また、ハウジング本体１１の内部には、端子２０の長手方向ＬＤに直交する方向（以下、直交方向ＣＤ）の側部のうち、一側部を位置決めする端子収容溝部１４が設けられている。
【００３０】
端子収容溝部１４は、図面上側において直交方向ＣＤに沿って配列された上列端子２０Ａと接触する上側収納部１４Ａと、図面下側において直交方向ＣＤに沿って配列された下列端子２０Ｂと接触する下側収納部１４Ｂとによって構成されている。なお、上側収納部１４Ａ及び下側収納部１４Ｂは、それぞれ同様の構成のため、以下では単に端子収容溝部１４と称して説明する。
【００３１】
図４に示すように、端子収容溝部１４は、矩形状の溝によって形成されている。具体的には、端子収容溝部１４は、第１底面１５と、第１底面１５に連なりそれぞれ対向する２つの第１側面１６，１７とによって構成されている。第１底面１５は、端子２０の上側部又は下側部を位置決めするための面である。第１側面１６，１７は、端子２０の両脇側部と接触可能な面である。
【００３２】
このような端子収容溝部１４は、プリント基板側の端部において直交方向ＣＤに対する幅が狭くなる幅狭部１８を備えている。幅狭部１８は、直交方向ＣＤに対する幅がプリント基板側の端部に向かって除々に狭くなる幅狭傾斜部分１８Ａと、幅狭傾斜部分１８Ａに連なり、直交方向ＣＤに対する幅が狭い状態で一定に形成された幅狭先端部分１８Ｂとによって構成される。
【００３３】
また、端子収容溝部１４は、プリント基板側の逆側の端部において直交方向ＣＤに対する距離が広くなる幅広部１９（図３（ｂ）参照）を備えている。幅広部１９は、直交方向ＣＤに対する幅がプリント基板側の端部に向かって除々に広くなる幅広傾斜部分１９Ａと、幅広傾斜部分１９Ａに連なり、直交方向ＣＤに対する幅が広い状態で一定に形成された幅広先端部分１９Ｂとによって構成される。
【００３４】
（端子）
図１，２及び図５に示すように、端子２０は、端子収容溝部１４に収容される。この端子２０は、直交方向ＣＤに沿って配列された上下２列の上列端子２０Ａと下列端子２０Ｂとによって構成されている。図５に示すように、上列端子２０Ａ及び下列端子２０Ｂのそれぞれは、先端側領域２１と、接触側領域２２とによって構成されている。
【００３５】
先端側領域２１は、端子２０の先端２０Ｅを含み、端子収容溝部１４と接触する。先端側領域２１は、接触側領域２２に対して屈曲し、端子収容溝部１４の内部の第１底面１５側に付勢されて常に接触するようになっている。
【００３６】
接触側領域２２は、コネクタ１と相手側コネクタとの嵌合離脱方向（図面では、端子２０の長手方向ＬＤ）に沿って設けられている。接触側領域２２は、端子収容溝部１４からプリント基板（不図示）の逆側（アライメントプレート３０や先端２０Ｅの逆側）に突出し、相手側コネクタの端子部（不図示）と接触する。
【００３７】
（アライメントプレート）
図１，２及び図６に示すように、アライメントプレート３０は、上列端子２０Ａを位置決めする上側プレート３０Ａと、下側端子を位置決めする下側プレート３０Ｂとを備えている。なお、上側プレート３０Ａ及び下側プレート３０Ｂは、それぞれ同様の構成のため、以下では単にアライメントプレート３０として称して説明する。
【００３８】
アライメントプレート３０は、端子２０と当接するプレート本体３１と、プレート本体３１から屈曲し、ハウジング本体１１の係止突起１３と係止される係止切欠部３２Ａが形成されたプレート屈曲部３２とによって構成される。
【００３９】
プレート本体３１は、直交方向ＣＤの側部のうち、端子収容溝部１４により位置決めされていない他側部を位置決めするプレート位置決溝部３３を備えている。
【００４０】
プレート位置決溝部３３は、矩形状の溝によって形成されている。具体的には、プレート位置決溝部３３は、端子収容溝部１４の第１底面１５と対向する第２底面３４と、第２底面３４に連なりそれぞれ対向する２つの第２側面３５，３６とによって構成される。
【００４１】
第２底面３４は、端子２０の上側部又は下側部を位置決めするための面である。第２側面３５，３６は、アライメントプレート３０がハウジング本体１１に取り付けられた際に、幅狭部１８における第１側面１６，１７と共に端子２０の両脇側部の位置決めするための面である。第２側面３５，３６の直交方向ＣＤに対する距離は、幅狭部１８における第１側面１６，１７の距離と同一である。
【００４２】
（２）コネクタの組付方法
次に、上述したコネクタ１の組付方法について、図１，２及び図５を参照しながら説明する。
【００４３】
まず、図５に示すように、ハウジング１０の端子収容溝部１４に端子２０を挿入する。このとき、端子２０は、端子収容溝部１４の幅広部１９側から挿入されることによって、端子２０の先端２０Ｅが幅広傾斜部分１９Ａに突き当たって端子収容溝部１４内に案内される。また、端子２０の先端側領域２１は、接触側領域２２に対して屈曲しているため、第１底面１５側に付勢されて常に接触するようになっている。
【００４４】
そして、図２に示すように、ハウジング１０の端子収容溝部１４に端子２０をさらに挿入すると、端子２０の先端２０Ｅが幅狭傾斜部分１８Ａに突き当たって幅狭先端部分１８Ｂ内に案内される。その後、端子２０は、ハウジング１０の端子収容溝部１４に取付固定されると、第１底面１５により位置決めされ、幅狭部１８における第１側面１６，１７により仮止め（保持）される。
【００４５】
次いで、図１に示すように、幅狭部１８上にプレート位置決溝部３３が対応するように、ハウジング本体１１にアライメントプレート３０を取り付け、ハウジング本体１１の係止突起１３に係止切欠部３２Ａを係止させる。これにより、端子２０は、全て位置決めされることとなる。
【００４６】
具体的には、端子２０の上側部及び下側部は、端子収容溝部１４の第１底面１５及びプレート位置決溝部３３の第２底面３４によって位置決めされる。また、端子２０の両脇側部は、端子収容溝部１４の幅狭部１８における第１側面１６，１７及びプレート位置決溝部３３の第２側面３５，３６によって位置決めされる。
【００４７】
その後、背景技術で説明したように、端子２０の先端２０Ｅがプリント基板の基板接続孔（不図示）を挿入されて半田付けされることによって、コネクタ１がプリント基板に取り付けられる（例えば、図９参照）。
【００４８】
（３）作用・効果
以上説明した本実施形態では、ハウジング１０のハウジング本体１１は、端子２０の一側部を位置決めする端子収容溝部１４を備え、アライメントプレート３０は、端子２０の他側部を位置決めするプレート位置決溝部３３を備える。つまり、端子２０は、端子収容溝部１４とプレート位置決溝部３３との間で挟持されることによって位置決めされる。これにより、従来のように、アライメントプレートのプレート位置決め孔への端子２０の挿入作業が不要となり、端子２０の挿入作業を軽減できる。
【００４９】
また、アライメントプレートの位置決め孔への端子２０の挿入作業が不要となることに伴い、端子２０の先端２０Ｅがアライメントプレート３０に接触して曲がってしまうこと防止でき、端子２０の損傷を防止できる。加えて、端子２０の先端２０Ｅがアライメントプレート３０の一部を削ってしまうことを防止でき、アライメントプレート３０の損傷をも防止できる。従って、端子２０の配列や端子収容溝部１４及びプレート位置決溝部３３の寸法精度が悪化することなく、コネクタ１の製品信頼性を向上させることができる。
【００５０】
その上、端子収容溝部１４に端子２０を挿入する際に、端子収容溝部１４内で端子の全周が摺動されることなく端子２０の一側部のみの摺動で済むため、端子収容溝部１４に端子２０を挿入させ易くなり、端子２０の挿入力の低減を実現できる。
【００５１】
本実施形態では、端子収容溝部１４は、第１底面１５と２つの第１側面１６，１７とによって構成され、プレート位置決溝部３３は、第２底面３４と、２つの第２側面３５，３６とによって構成される。つまり、端子収容溝部１４及びプレート位置決溝部３３は、矩形状の溝によって形成されている。これにより、端子２０を位置決めできることは勿論、端子収容溝部１４及びプレート位置決溝部３３の形状が単純であるため、ハウジング１０やアライメントプレート３０の製造が容易となり、コネクタ１の製造コストの低減を図ることができる。
【００５２】
本実施形態では、端子収容溝部１４は、幅狭部１８を備える。これにより、端子２０が直交方向ＣＤにずれにくくなり、端子２０の位置決めをより確実に向上できる。
【００５３】
加えて、端子収容溝部１４は、幅広部１９を備える。これにより、端子２０の先端２０Ｅが幅広部１９から端子収容溝部１４内に案内され、端子収容溝部１４に端子２０をさらに挿入させ易くなる。
【００５４】
本実施形態では、アライメントプレート３０は、上側プレート３０Ａと下側プレート３０Ｂとを備える。これにより、より多くの端子２０の位置決めを実現できる。
【００５５】
本実施形態では、端子２０の先端側領域２１は、接触側領域２２に対して屈曲し、端子収容溝部の内部に当接する。つまり、端子２０の先端側領域は、端子収容溝部１４の内部の第１底面１５側に付勢されて常に接触するようになっている。これにより、端子２０の一側部（上側部又は下側部）をより確実に位置決めできる。
【００５６】
（４）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００５７】
例えば、本発明の実施形態は、次のように変更することができる。具体的には、コネクタ１は、実施形態として一例に過ぎず、ハウジング１０や端子２０、アライメントプレート３０の形状や構成については、必ずしも実施形態で説明したものに限らない。
【００５８】
また、端子収容溝部１４やプレート位置決溝部３３は、矩形状の溝によって形成されているものとして説明したが、これに限定されるものではなく、その他の形状（例えば、半円状の溝）であってもよい。
【００５９】
また、端子収容溝部１４は、幅狭部１８を備えているものとして説明したが、これに限定されるものではなく、例えば、全てが幅狭部１８のような溝であってもよい。
【００６０】
また、端子２０の先端側領域２１は、接触側領域２２に対して屈曲するものとして説明したが、これに限定されるものではなく、屈曲していなくてもよい。
【００６１】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００６２】
１…コネクタ
１０…ハウジング
１５…第１底面
１６，１７…第１側面
１８…幅狭部
２０…端子
２０Ａ…上列端子
２０Ｂ…下列端子
２０Ｅ…先端
２１…先端側領域
２２…接触側領域
３０…アライメントプレート
３０Ａ…上側プレート
３０Ｂ…下側プレート
３３…プレート位置決溝部
３４…第２底面
３５，３６…第２側面
ＣＤ…直交方向
ＬＤ…長手方向
【図１】
2013168340.tif 000003
【図２】
2013168340.tif 000004
【図３】
2013168340.tif 000005
【図４】
2013168340.tif 000006
【図５】
2013168340.tif 000007
【図６】
2013168340.tif 000008
【図７】
2013168340.tif 000009
【図８】
2013168340.tif 000010
【図９】
2013168340.tif 000011